(57)【要約】【課題】運搬中の棚板の落下や跳ね上がり踊りによって、棚板や家具本体が傷付くことを防止する。【解決手段】左右に位置して互いに離隔し、後部がより広く離隔しているアーム部２０Ａ，２０Ａ’と、該アーム部の先部が互いに連結されて左右アーム部が接近、離反可能に弾性変形可能であり、前記連結部２０Ｒの後方の左右アーム部外側に設けられ、適宜枚数重ねた棚板の厚さ寸法に対応した高さ位置に設けた家具本体の内側板１０Ｈの孔１０ＨＨに挿入された状態では、通常時では抜けない寸法に離隔形成された左右の係止部２０Ｋ，２０Ｋ’と、該各係止部に連続して形成され、装着されると前記孔を区画形成する孔壁の孔縁面に対面する首部２０Ｎ，２０Ｎ’と、該首部に連続して形成され、前記孔を挿通できない寸法の肩部２０Ｓ，２０Ｓ’とを具備するよう構成する。【選択図】　　　　図２
2004141466.tif 000002
【特許請求の範囲】
【請求項１】
平面視において左右に位置して互いに離隔し、後部がより広く離隔しているアーム部と、
該アーム部の先部が互いに連結されて左右アーム部が接近、離反可能に弾性変形可能であり、
前記連結部の後方の左右アーム部外側に設けられ、適宜枚数重ねた棚板の厚さ寸法に対応した高さ位置に設けた家具本体の内側板の孔に挿入された状態では、通常時では抜けない寸法に離隔形成された左右の係止部と、
該各係止部に連続して形成され、装着されると前記孔を区画形成する孔壁の孔縁面に対面する首部と、
該首部に連続して形成され、前記孔を挿通できない寸法の肩部と
を具備し、
前記左右アーム部を摘んで互いの離隔距離を縮めることにより前記左右係止部の距離を縮めて前記孔を通過可能にできることを特徴とする家具における棚板の仮止め具。
【請求項２】
前記左右のアーム部を互いに近づけた場合に、元の位置方向に戻そうと付勢するバネ部材をアーム部に設けてなる請求項１記載の家具における棚板の仮止め具。
【発明の詳細な説明】
【０００１】
【発明の属する技術分野】
本発明は、棚板を有する保管庫等の家具を運搬する際に使用する棚板の仮止め具に関する。
【０００２】
【従来の技術】
棚板を有する保管庫等を運搬する際に、棚板が落下したり、振動で踊って傷付いたりすることを防止するため、棚板を仮止め保持する仮止め具が下記の特許文献に開示されている。
【特許文献１】
実開平５−９３２８２号公報
【特許文献２】
実開平５−９３２８３号公報
【０００３】
【発明が解決しようとする課題】
上記各公報では、仮止め具は、家具本体の内側板の上下２箇所の孔に、上側の係止部と下側の係止部とを係合させる構造を主体に開示している。何れの公報に開示の仮止め具も運搬中の棚板を安定して保持でき、良い仮止め具と考えるが、これらの形態以外に簡便に使用できる仮止め具が考えられる。それを本願において出願する。
本発明は、運搬中の棚板の落下や跳ね上がり踊りによって、棚板や家具本体が傷付くことを防止することを目的とする。
【０００４】
【課題を解決するための手段】
上記目的に鑑みて請求項１では、平面視において左右に位置して互いに離隔し、後部がより広く離隔しているアーム部と、該アーム部の先部が互いに連結されて左右アーム部が接近、離反可能に弾性変形可能であり、前記連結部の後方の左右アーム部外側に設けられ、適宜枚数重ねた棚板の厚さ寸法に対応した高さ位置に設けた家具本体の内側板の孔に挿入された状態では、通常時では抜けない寸法に離隔形成された左右の係止部と、該各係止部に連続して形成され、装着されると前記孔を区画形成する孔壁の孔縁面に対面する首部と、該首部に連続して形成され、前記孔を挿通できない寸法の肩部とを具備し、前記左右アーム部を摘んで互いの離隔距離を縮めることにより前記左右係止部の距離を縮めて前記孔を通過可能にできることを特徴とする家具における棚板の仮止め具を提供する。
【０００５】
左右のアーム部の先部が互いに連結されて弾性変形可能であるため、該アーム部を摘んで互いの距離を縮めれば、左右の係止部が互いに近づいてその距離を縮めるため、この仮止め具の先方部を家具本体の内側板の孔に挿入通過させることができる。こうして、その係止部に続く首部が前記孔を区画形成する孔壁の孔縁面に対面すると共に、これに連続する肩部が孔壁に当って挿入が停止させられる。これにより、ワンタッチ式に仮止め具の所定孔への装着が完了する。取り外す場合は、アーム部を摘んで左右係止部の距離を縮めて孔を通過可能にすればよい。より広く離隔したアーム部の後部を摘めば、前方に位置する左右係止部はてこの原理により容易に距離を縮められる。従って、操作性も簡便であり、迅速に作業ができる。
【０００６】
請求項２では、前記左右のアーム部を互いに近づけた場合に、元の位置方向に戻そうと付勢するバネ部材をアーム部に設けてなる請求項１記載の家具における棚板の仮止め具を提供する。
アーム部を摘んで距離を縮めることは、指でアーム部を摘みさえすればよく、確実に可能であるが、その復元をアーム部の先部連結部にのみ依存するよりも、更に確実に復元させるため、後部がより広く離隔しているアーム部に、即ち、先部連結部よりも後方位置にバネ部材を設ければ、復元性がより確実になる。
【０００７】
【発明の実施の形態】
以下、本発明を添付図面に示す実施形態例に基づき、更に詳細に説明する。
図１は複数枚の棚板１２を有し、左右に開く観音扉１０Ｄ１，１０Ｄ２を有した保管庫の水平断面を上から見た上面図であり、そのＢ部の拡大を図２に示す。この図２には、装着前の仮止め具２０の平面図をも図示している。図３はその仮止め具の正面図である。図４は仮止め具を装着した上面図、図５はその矢視線Ｅ−Ｅによる縦断面図であるが、仮止め具は断面図示していない。
【０００８】
家具本体１０の内側に配設された補強板１０Ｈが、この例では図１に示す様に４つの各隅近くに設けられている。この補強板には、図５に示す底板１０Ｄの上面から所定の高さＬの位置に矩形状の孔１０ＨＨが設けられている。幅寸法がＷ２、高さ寸法がＨ２（図５）の矩形孔であるが、楕円形状や円形でもよい。この例では上記４隅に設けているが、対角線上に位置する何れか一方の２隅にだけ設けてもよい。高さ方向では、孔１０ＨＨは１個とは限らず、後述の所定距離ΔＬ（図５）を隔てて２個、３個と必要に応じて複数個設けてもよい。
【０００９】
上記矩形孔に装着する仮止め具２０は、図２と図４に平面図、図３に図２の左側方向から見た正面図、図５に側面図を図示している。仮止め具２０の説明では、図２の下側を左、上側を右として説明する。仮止め具２０は左右のアーム部２０Ａ，２０Ａ’が先部（連結部）２０Ｒにおいて連結されていて、後部が互いに広く隔離するように広がっている。また、この例では、図３に示すように、仮止め具の首部から前方部と首部より後方部とは、共に正面視において矩形状である。
【００１０】
連結部で連結一体形成されている仮止め具２０は、左右アーム部が接近、離反できるよう弾性変形可能な合成樹脂で形成されているが、弾性変形可能であれば、他部材でもよく、任意である。前記連結部２０Ｒの後方の左右アーム部外側に左右の係止部２０Ｋ，２０Ｋ’が設けられている。その各係止部の後側に連続して首部２０Ｎ，２０Ｎ’が形成されている。更に、該首部の後側に連続して肩部２０Ｓ，２０Ｓ’が形成されている。
【００１１】
前記左右係止部２０Ｋ，２０Ｋ’の離隔距離Ｗ１は、通常時では、前記矩形孔１０ＨＨの水平左右方向である幅Ｗ２よりも大きい。しかし、既述の弾性により、左右アーム部を摘んでその距離を狭くでき、孔に挿入できる。肩部の高さＨ０は矩形孔の高さＨ２よりも大きく形成しており、挿入時に肩部が補強板に当接して仮止め具の挿入が強制停止される。摘んでいた指を離した後の装着状態は図４と図５に図示されている。首部が矩形孔を区画形成する孔壁１０Ｈの孔縁面に対面すると共に、左右係止部２０Ｋ，２０Ｋ’はその孔縁部に係止して抜け出ない。
【００１２】
首部から前方の高さ寸法（首部も同じ高さ）Ｈ１（図５）は矩形孔の高さＨ２よりも０．２〜０．３ｍｍ程度小さく設定すると、後述のように棚板１２の上下方向の踊りを防止するのによい。仮止め具２０を孔に挿入した後、指を離した場合に、左右アーム部の復元を確実にさせるため、この例では、１対の２枚の矩形状の板バネ部材２２，２２’を設けている。即ち、左右アーム部の後部の内側に、各板バネ部材の一端部を保持装着させており、各他端部は通常時では軽く接触するか幾分離隔している。従って、左右アーム部を摘んで狭めれば、両板バネ部材が押圧しあって復元力を蓄積する。バネ部材は他の形態のものでもよい。
【００１３】
棚板１２を家具本体１０の底板１０Ｄに載置して輸送する場合は、底板上面から孔１０ＨＨの中心位置までの離隔高さＬは、積層枚数分の高さ１２Ｈと、アーム部の首部よりも後方部の高さＨ０の１／２を加えた値に設定する。また、更にもう１枚重ねて運搬する可能性があれば、１枚重ねた場合に厚くなる分ΔＬだけ高い位置Ｐに他の孔を設けておく。更に重ねる場合も同様にして複数の孔を高さ方向に設けておけばよい。
【００１４】
棚板の厚さが共通している各種家具、例えば複数種類の保管庫において、これらの保管庫の棚板数に範囲があり、２枚から５枚の範囲であれば、２，３，４，５枚の何れの棚板数の場合にも適用できるように、内側板１０Ｈの高さ方向に等ピッチの４個の孔１０ＨＨを設けるように孔開け用の型を製造しておけば低コスト化に寄与する。或る保管庫では最も下側の孔のみ使用するが、他の或る保管庫では、下から２番目の孔を使用し、さらに他の保管庫では最上位置の孔を使用するというような使用形態となる。
【００１５】
棚板１２を積層した状態に対応した孔１０ＨＨに仮止め具２０を装着しておけば、仮止め具の左右アーム部の下面２０Ｄ，２０Ｄ’が積層状態の棚板の上面を規制し、運送中等の棚板の上下踊りを防止する。即ち、最上位置の棚板１２が仮止め具の下面２０Ｄ，２０Ｄ’を押し上げようと踊っても、孔１０ＨＨの高さＨ２に対して仮止め具の首部から前側部の高さＨ１が０．２〜０．３ｍｍ程度小さいだけであることと、肩部２０Ｓ，２０Ｓ’の上端部が孔壁１０Ｈを押圧当接することによって、踊りが規制される。上記実施形態例の仮止め具２０は、図５に図示しているように孔１０ＨＨの上下中心（首部の上下中心）に対して上下対称な形状に形成しているが、この上側を下側よりも長く形成すれば、前記肩部の上端部の作用により棚板の踊りをより強く規制できる。
【００１６】
仮止め具を外す際は、左右のアーム部を摘んで狭めて左右係止部の間隔を縮めて抜き去ればよい。
棚板上面に当接し得る上記左右のアーム部に設けた下面２０Ｄ，２０Ｄ’は、上記例のように首部よりも後方部全体に設けるのではなく、その一部に設けてもよい。また、既述の如く、孔１０ＨＨを複数個設ける場合は、孔間の壁部１０Ｈの強度を所定以上に保持する必要性からは、高さＨ１を小さくした方がよい。一方、仮止め具２０の強度、特に首部の破断強度を向上させるためには、高さＨ１を大きくした方がよく、それらの兼ね合いで高さ寸法を決める。一般には、高さＨ１は高さＨ０の２／３以下とし、１／２程度に設定するとよい。
仮止め具は上記例の形態以外に、正面視形状が、孔１０ＨＨの形状に合わせて、首部から前部だけ又はその後方部も楕円形状や円形等であってもよく、任意である。
【００１７】
【発明の効果】
以上の説明から明らかなように本発明によれば、運搬中の棚板の落下や跳ね上がりによって、棚板や家具本体が傷付くことを防止できる仮止め具の提供が可能となる。
【図面の簡単な説明】
【図１】図１は本発明に係る保管庫の水平断面図である。
【図２】図２は図１のＢ部の拡大図である。
【図３】図３は本発明に係る仮止め具の正面図である。
【図４】図４は仮止め具を装着した上面図である。
【図５】図５は図４の矢視線Ｅ−Ｅによる部分縦断面図である。
【符号の説明】
１０　　　　　　　　　家具本体
１０Ｈ　　　　　　　　内側板（孔壁）
１０ＨＨ　　　　　　　孔
２０　　　　　　　　　仮止め具
２０Ａ，２０Ａ’　　　左右アーム部
２０Ｋ，２０Ｋ’　　　左右係止部
２０Ｎ，２０Ｎ’　　　左右首部
２０Ｒ　　　　　　　　連結部
２０Ｓ，２０Ｓ’　　　左右肩部
２２，２２’　　　　　板バネ部材
【図１】
2004141466.tif 000003
【図２】
2004141466.tif 000004
【図３】
2004141466.tif 000005
【図４】
2004141466.tif 000006
【図５】
2004141466.tif 000007